(57)【要約】【課題】  車輪の左右を覆う一対のカバー体を別々にモ−ルド成形し、モ−ルド金型をできるだけ小型化して取扱いを容易となし、かつ、後ろ泥よけ部材に跨がる連結体の一つを完全に一体化した衣類巻き込み防止カバ−を得ようとするものである。【解決手段】  後輪の左側を覆う左カバー体と右側を覆う右カバー体とを別々にモ−ルド成形し、後ろ泥よけ部材に跨がる連結体を溶着或いは接着にて一体化して左右両カバ−を連結した衣類巻き込み防止カバ−であって、時に好ましくは、前記連結体は、後ろ泥よけ部材の前方に跨がる位置に備えたものである。１、２‥カバ−体、１０‥左右カバ−体を一体化する連結体、１０ａ、１０ｂ‥連結片、１１ａ‥突起、１１ｂ‥貫通穴、Ａ‥溶着又は接着部。【選択図】図２
2006213279.tif 000002
【特許請求の範囲】
【請求項１】
後輪の左側を覆う左カバー体と右側を覆う右カバー体とを別々にモ−ルド成形し、後ろ泥よけ部材に跨がる連結体を溶着或いは接着にて一体化して左右両カバ−を連結したことを特徴とする衣類巻き込み防止カバ−。
【請求項２】
前記連結体は、後ろ泥よけ部材の前方に跨がる位置に備えた請求項１記載の衣類巻き込み防止カバ−。
【請求項３】
前記連結体は、左右カバ−体より伸びる連結片を重ね合わせ、重ね合わせ部位を溶着或いは接着してなる請求項１又は２記載の衣類巻き込み防止カバ−。
【請求項４】
前記連結体は、左右カバ−体より伸びる連結片に樹脂片を重ね合わせ、重ね合わせ部位を溶着或いは接着してなる請求項１又は２記載の衣類巻き込み防止カバ−。
【請求項５】
前記連結体は、樹脂連結片を左右カバ−体に重ね合わせ、重ね合わせ部位を溶着或いは接着してなる請求項１又は２記載の衣類巻き込み防止カバ−。
【請求項６】
連結体の重ね合わせ部の一方に凹部を、他方に凸部を形成し、両者を嵌め合わせた状態で溶着或いは接着してなる請求項１乃至５いずれか１に記載の衣類巻き込み防止カバ−。
【発明の詳細な説明】
【技術分野】
【０００１】
本発明は、自転車の車輪にスカート等の衣類が巻き込まれるのを防止するために取り付けられる衣類巻き込み防止カバーに関するものである。
【背景技術】
【０００２】
コート等を着用して自転車に乗った場合、裾の部分が車輪に巻き込まれ、汚損したり破損することがしばしばである。従って、かかる衣類の巻き込みを防止するため、樹脂製の衣類巻き込み防止カバーを車輪の左右両側を覆うように取り付けている。そして、通常の衣類巻き込み防止カバーは、自転車の車輪の左右両側を覆う左右一対のカバー体と、該一対のカバー体の前部を連結する連結体と一体に備えたものがある（特許文献１）。
【０００３】
【特許文献１】実公平３−５５５０９号公報。
【０００４】
しかし、左右一対のカバー体は連結体により一体に連なって成形されているために、成形金型が大型となってしまい、金型の製作費が高くついて衣類の巻き込み防止カバーの製造コストが高くなってしまっていた。そこで、衣類巻き込み防止カバーを安価に製造できるようにするために、左右のカバー体を別体に形成して、衣類巻き込み防止カバーを自転車の車輪に取り付ける際に、左右のカバー体を連結体で連結するようにして、カバー体を形成する金型を小型にすることが考えられている。
【０００５】
この具体例として、左カバー体と右カバー体とを別体に構成され、かつ同一形状とされていることを特徴とする衣類巻き込み防止カバーが提案されている（特許文献２）。かかる同一形状の左右のカバ−体は、バンド状鋸歯部及び連結係止部よりなる長さ調整機構を備えた連結体にて連結されるものであるが、その連結に時間がかかり装着時に不具合が指摘されている。特に前方の連結体は離脱・解除されてはならないが、バンド状鋸歯部と連結係止部との連結は不意に解除されてしまう場合があり、好ましいことではない。
【０００６】
【特許文献２】特開２００３−１６００７５号公報。
【発明の開示】
【発明が解決しようとする課題】
【０００７】
本発明は、車輪の左側を覆う左カバー体と右側を覆う右カバー体とを別々の形状としてモ−ルド成形し、モ−ルド金型をできるだけ小型化して取扱いを容易となし、かつ、後ろ泥よけ部材に跨がる連結体の一つを完全に一体化した衣類巻き込み防止カバ−を得ようとするものである。
【課題を解決するための手段】
【０００８】
本発明の要旨は、後輪の左側を覆う左カバー体と右側を覆う右カバー体とを別々にモ−ルド成形し、後ろ泥よけ部材の好ましくは前方に跨がる連結体の一つを溶着或いは接着にて一体化して、左右両カバ−体を連結したことを特徴とする衣類巻き込み防止カバ−に係るものである。
【発明の効果】
【０００９】
本発明は上記したように左右のカバ−体を当初は独立してモ−ルド成形するため、金型が比較的小さくて済み、このため、成形作業性、取扱性が大きく向上した。更に連結体を溶着或いは接着加工によって一体化し、これによって左右のカバ−体を一体として衣類巻き込み防止カバ−が完成するものであり、後ろ泥よけ部材に跨がる連結体の一つは分離解除することがないため、装着作業性、安全性にも優れたものとなったものである。
【発明を実施するための最良の形態】
【００１０】
本発明の左右カバ−体はモ−ルド成形によって得られるものであり、その素材も、例えばポリプロピレンやポリカ−ボネ−ト等にて代表される樹脂で成形されるものである。かかる左右カバ−体は通常はその一部が円弧状をなす縁部にて構成され、この円弧の縁部が泥よけ部材の縁部に嵌め込まれたりして固定されるが、本発明ではこの点は特に関係がないので言及はしない。又、左右カバ−体が対称であっても非対称であっても任意である。同一のカバ−体を適用することがコスト上最も好ましいことは言うまでもない。
【００１１】
更に、左右カバ−体は最も衣類が巻き込まれやすいバックホ−クやサ−クル錠近傍の後ろ泥よけ部材に装着されるため、特に言えば、サ−クル錠を逃げるための開口部が形成されているがこの形状も任意である。
【００１２】
さて、本発明にあっては、左右のカバ−体をその一部が円弧状をなす側を対向させ、例えば、装着した際に前側となる前端部に連結体を一体とするものである。かかる連結体は、当初は別体であって、その後これを重ね合わせた部位（Ａ部）を溶着又は接着処理によって完全に一体化することとなる。
【００１３】
この連結体の構成は実施例にて例を挙げて説明するが、左右又は一方のカバ−体より伸びる連結片を用いるもの、これに別部材の連結片を重ね合わせてなるもの等があり、この重ね合わせ位置がずれないように相互に嵌合可能な凹凸部を形成してこれを嵌め合わせた後に溶着或いは接着処理を行うのがよい。
【００１４】
本発明にあって、溶着或いは接着処理を行って一体化する連結体の位置は前端部が好ましいが、場合によっては他の部位に適用してもよく、例えば、サ−クル錠を避けるための開口部近傍にこの連結体を構成してもよい。
【００１５】
更に、装着時には左右のカバ−体の縁部が後ろ泥よけ部材の縁部にフック等にて嵌め合わされ、場合によっては後ろ泥よけ部材を跨いで一つ又は複数の結合バンドにて更に結合するが、その結合バンドも特に限定されるものではなく、従来より採用されているバンド状鋸歯部及び連結係止部よりなる長さ調整機構を備えたものがそのまま採用することが可能である。
【実施例】
【００１６】
以下、本発明を実施例をもって更に詳細に説明する。図１は本発明の衣類巻き込み防止カバ−の平面図である。図中、１、２はポリプロピレン製のモ−ルド成形による左右のカバ−体であり、この例では全体が透明感のあるプレ−トにてできている。
【００１７】
そして、対向する縁部１ａ、２ａが円弧をなし、この部位が後ろ泥よけ部材の縁部とほぼ同等になるものである。３、４はサ−クル錠に対する開口部である。５は後ろ泥よけ部材の縁部に嵌め込むフックであり、特に限定されるものではない。６は後ろ泥よけ部材の後ろ端にあってこれを跨いでカバ−体１、２を連結するための結合バンドである。これも特に限定することはなく、この例では、バンド状鋸歯部６ａ及び連結係止部６ｂよりなる長さ調整機構を備えたものを用いている。
【００１８】
さて、左右のカバ−体を一体化する連結体１０であるが、図２はその第１例を示す図である。この例は左右のカバ−体１、２の最前端より連結片１０ａ、１０ｂを備えたもので、これを重ね合わせ（Ａ部）、かかる部位を溶着して一体化し、連結体１０としたものである。この例では連結片１０ａには一定間隔をもって突起１１ａが形成され、一方、連結片１０ｂには同様の間隔をもって貫通穴１１ｂが形成されており、両者を嵌合させて重ね合わせ（Ａ部）た後にこの部位を溶着させたものである。この両者の嵌合によって連結片１０ａ、１０ｂがずれることなく一体化されることとなる。勿論、嵌合の位置を変えることによって重ね合わせ（Ａ部）、これを溶着して一体化し、かつ、連結体１０の長さを変えることも可能となる。
【００１９】
図３はその第２例を示す図であり、この例は左右のカバ−体１、２の最前端より連結片１０ａ、１０ｂを備えたものであるが、これを突き合わせ、別の連結片１０ｃをこの両者に重ね合わせ（Ａ部）、この状態をもって溶着して一体化し、連結体１０としたものである。この例でも連結片１０ａ、１０ｂには一定間隔をもって突起１１ａが形成され、一方、連結片１０ｃには同様の間隔をもって貫通穴１１ｂが形成されており、これらを嵌合させた後に溶着させたものである。
【００２０】
図４はその第３例を示す図である。この例は左のカバ−体１の最前端より連結片１０ａを備えたもので、これを右カバ−体２の端部に重ね合わせ（Ａ部）、かかる部位を溶着して一体化し、連結体１０としたものである。この例では連結片１０ａに貫通穴１１ｂが形成され、一方、右カバ−体２の端部に突起１１ａが形成されており、両者を嵌合させた後に両者を溶着させたものである。
【００２１】
図５はその第４例を示す図である。この例は左右のカバ−体１、２の最前端の端部に突起１１ａが形成され、両者を跨ぐ連結片１０ｃをもって重ね合わせ（Ａ部）、この部位を溶着させたものである。勿論、連結片１０ｃには貫通穴１１ｂが形成されており、これを嵌め合わせた後に融着させるのがよい。
【図面の簡単な説明】
【００２２】
【図１】図１は本発明の衣類巻き込み防止カバ−の平面図である。
【図２】図２は本発明の連結体の第１例を示す図である。
【図３】図３は本発明の連結体の第２例を示す図である。
【図４】図４は本発明の連結体の第３例を示す図である。
【図５】図５は本発明の連結体の第４例を示す図である。
【符号の説明】
【００２３】
１、２‥カバ−体、
１ａ、１ｂ‥カバ−体の縁部、
３、４‥サ−クル錠に対する開口部、
５‥後ろ泥よけ部材の縁部に嵌め込むフック、
６‥結合バンド、
６ａ‥バンド状鋸歯部、
６ｂ‥連結係止部、
１０‥左右カバ−体を一体化する連結体、
１０ａ、１０ｂ、１０ｃ‥連結片、
１１ａ‥突起、
１１ｂ‥貫通穴、
Ａ‥溶着部位（連結片の重ね合わせ部）。
【図１】
2006213279.tif 000003
【図２】
2006213279.tif 000004
【図３】
2006213279.tif 000005
【図４】
2006213279.tif 000006
【図５】
2006213279.tif 000007